(57)【要約】【課題】  不要な状態変化を表示させることが防止でき、保守性に優れた信頼性の高い監視制御システムを提供することである。【解決手段】  状態変化検出ロック判定処理手段１７は、プラント情報の状態変化のうち同一信号が一定時間内に一定回数以上で変化する情報を状態変化検出ロックの対象として検出し、状態変化検出ロック処理手段１９は、状態変化検出ロック対象の情報の状態変化検出をロックし、その旨を上位装置に通知すると共に状態変化検出ロックしている間に発生した当該情報の状態変化情報を記憶する。また、操作制御手段２８は、通常時は上位装置１４からの指令に基づきプラントを操作制御すると共に状態変化検出ロック中は状態変化検出ロック中の当該情報に関連する機器の操作制御をロックする。【選択図】  図１
2005056156.tif 000002
【特許請求の範囲】
【請求項１】
プラント情報の状態変化を端末装置で入力し上位装置に伝送すると共に前記上位装置からの指令に基づき前記端末装置を介してプラントの機器を操作制御する監視制御システムにおいて、前記端末装置は、プラント情報の状態変化を検出する状態変化検出処理手段と、前記状態変化検出処理手段で検出した状態変化のうち同一信号が一定時間内に一定回数以上で変化する情報を状態変化検出ロックの対象として検出する状態変化検出ロック判定処理手段と、前記状態変化検出ロック判定処理手段で検出された状態変化検出ロック対象の情報の状態変化検出をロックしその旨を前記上位装置に通知すると共に状態変化検出ロックしている間に発生した当該情報の状態変化情報を記憶する状態変化検出ロック処理手段と、通常時は前記上位装置からの指令に基づきプラントを操作制御すると共に前記状態変化検出ロック中は状態変化検出ロック中の当該情報に関連する機器の操作制御をロックする操作制御手段とを備えたことを特徴とする監視制御システム。
【請求項２】
前記端末装置は、前記状態変化検出ロックされてから一定時間、状態変化が発生しないことを確認した場合には、状態変化検出ロックの状態を解除すると共に、解除を行う際に情報の最新の状態を前記上位装置へ通知し最新状態を合わせる状態変化検出ロック解除処理手段を備えたことを特徴とする請求項１記載の監視制御システム。
【請求項３】
前記上位装置は、状態変化検出ロック中にロックした旨をログとしてイベント表示すると共に、状態変化検出ロック中の継続状態を状態表示させるイベントログ表示手段を備えたことを特徴とする請求項１または請求項２記載の監視制御システム。
【請求項４】
前記端末装置の操作制御手段は、状態変化検出ロック中の情報がプラントの制御対象機器の機器状態を表す情報である場合には、状態変化検出ロック中は当該機器の操作制御をロックすることを特徴とする請求項１または請求項２記載の監視制御システム。
【請求項５】
前記端末装置の操作制御手段は、状態変化検出ロック中の情報が自己の端末装置または他の端末装置で機器制御判定条件として用いられている場合には、当該機器の機器制御判定条件を状態変化検出ロック中は不成立とすることを特徴とした請求項１または請求項２記載の監視制御システム
【請求項６】
前記端末装置の操作制御手段は、状態変化検出ロック中であっても、遮断器の切り制御指令があったときは制御優先として切り制御操作を行うことを特徴とする請求項１または請求項２記載の監視制御システム。
【請求項７】
前記端末装置は、前記上位装置からの要求情報により、前記状態変化検出ロック処理手段に記憶された状態変化検出ロック中に発生したすべての状態変化情報を前記上位装置に送信するイベント要求処理手段を備えたことを特徴とする請求項１記載の監視制御システム。
【請求項８】
前記端末装置の状態変化検出処理手段は、状態変化検出ロックを各プラント情報個別に設定するための個別検出ロック設定手段と、端末装置のすべてのプラント情報を一括して設定するための一括検出ロック設定手段とを備えたことを特徴とする請求項１記載の監視制御システム。
【請求項９】
前記端末装置の状態変化検出ロック判定処理手段で状態変化検出ロックを行うための判定条件である状態変化検出ロック判定時間および状態変化発生回数、状態変化検出ロック解除処理手段での状態変化検出ロック解除判定時間の条件は、それぞれ端末装置個別またはプラント情報個別に設定可能としたことを特徴とする請求項１または請求項２記載の監視制御システム。
【発明の詳細な説明】
【技術分野】
【０００１】
本発明は、プラント情報の状態変化を端末装置で入力し上位装置に伝送すると共に上位装置からの指令に基づき端末装置を介してプラントの機器を操作制御する監視制御システムに関する。
【背景技術】
【０００２】
一般に、プラント情報の状態変化を端末装置で入力し上位装置に伝送する監視システム制御では、プラントからの各種入力情報を各端末装置に取り込み、各種入力情報の状態変化を検出し、伝送系により結合された上位装置へ、検出した状態変化情報に発生時刻を付加して送信している。そして、上位装置では、プラント情報の記録や状態表示を行っている。この場合、すべての状態変化を検出記録し表示させるようにしている。
【０００３】
複数台の監視制御装置で１台の記録装置を共用する場合、切替時に記録データの抜けを防止し記録データの重複防止と不要な記録データをなくするようにしたものがある（特許文献１参照）
【特許文献１】特開平１１−３５３００２号公報（図１）
【発明の開示】
【発明が解決しようとする課題】
【０００４】
ところが、地震などの自然災害時などに発生する同一情報が発生復帰を繰り返すような異常ケースが発生すると、すべての状態変化を検出し記録表示するようにしているので、表示画面上に同一情報の発生復帰が不要に表示されてしまう。このため、本来必要とされるその他の情報の状態変化確認が困難になったり、あるいは、画面の表示性能にも影響を与えてしまうこともあり、調査解析に時間を要していた。
【０００５】
また、連続的に状態変化が発生している間に機器制御を行う必要がある場合には、連続して発生している状態変化が機器の制御に影響があるのかどうかを人為的に判断して機器の制御可否を判断する必要があった。
【０００６】
このように、従来の入力情報に対する状態変化検出の方法では、本来起こり得ない連続した同一情報の状態変化を通常通り検出してしまい、必要とされる状態変化情報と不要となる状態変化情報とを同一に表示し、その後の調査解析に時間を要すと共に、多数の状態変化情報が表示されることにより、表示性能等のシステムレスポンス低下を招いていた。また、その間の機器制御可否を人為的に判断する必要も生じていた。
【０００７】
本発明の目的は、不要な状態変化の表示を防止でき、保守性に優れた信頼性の高い監視制御システムを提供することである。
【課題を解決するための手段】
【０００８】
本発明の監視制御システムは、プラント情報の状態変化を端末装置で入力し上位装置に伝送すると共に上位装置からの指令に基づき端末装置を介してプラントの機器を操作制御する監視制御システムであり、端末装置は、プラント情報の状態変化を検出する状態変化検出処理手段と、状態変化検出処理手段で検出した状態変化のうち同一信号が一定時間内に一定回数以上で変化する情報を状態変化検出ロックの対象として検出する状態変化検出ロック判定処理手段と、状態変化検出ロック判定処理手段で検出された状態変化検出ロック対象の情報の状態変化検出をロックしその旨を上位装置に通知すると共に状態変化検出ロックしている間に発生した当該情報の状態変化情報を記憶する状態変化検出ロック処理手段と、通常時は上位装置からの指令に基づきプラントを操作制御すると共に状態変化検出ロック中は状態変化検出ロック中の当該情報に関連する機器の操作制御をロックする操作制御手段とを備えたものである。また、必要に応じて、状態変化検出ロックされてから一定時間、状態変化が発生しないことを確認した場合には、状態変化検出ロックの状態を解除すると共に、解除を行う際に情報の最新の状態を上位装置へ通知し最新状態を合わせる状態変化検出ロック解除処理手段を備える。
【発明の効果】
【０００９】
以上説明したように、本発明によれば、連続して発生する不要な状態変化を表示させることがなく、プラントの情報が異常状態であること通知すると共に、機器制御に関して異常状態の情報が不正な操作制御を招くことを防止できる。従って、保守性に優れ、信頼性の高い監視制御システムを提供することができる。
【発明を実施するための最良の形態】
【００１０】
本来起こり得ない同一情報の連続状態変化を検出して、当該の情報の状態変化のみを検出してロックすることにより、繰り返し発生する多数の状態変化情報が表示されないようにする。これいより、イベントログによる故障解析診断を容易とし、表示性能等のシステムレスポンスの低下を改善する。さらには、連続状態変化時（状態不定時）には機器制御を当該情報が安定化するまでロックすることにより、機器制御の安全性を高めることを可能とした。
【実施例】
【００１１】
以下、本発明の実施例を説明する。図１は本発明の実施例に係わる監視制御システムのブロック構成図である。端末装置１１はプラント１２からのプラント情報Ｐを入力し、ネットワーク１３を介して上位装置１４に送信する。
【００１２】
端末装置１１はプラント１２からのプラント情報Ｐを信号入力手段１５で入力し、入力したプラント情報Ｐを状態変化検出処理手段１６に入力する。状態変化検出処理手段１６では、入力したプラント情報Ｐの状態変化を検出する。そして、状態変化検出処理手段１６で状態変化があると検出された場合には、状態変化検出ロック判定処理手段１７にて、状態変化の検出をロックすべきかどうか、また状態変化の検出がロックされている状態（状態変化検出ロック中）であるかどうかの判定が行われる。すなわち、状態変化検出ロック判定処理手段１７では、プラント情報Ｐの同一信号が一定時間内に一定回数以上で変化する場合には、状態変化検出ロックの対象として検出し、そうでない場合には状態変化の検出をロックすべきでないと判定する。
【００１３】
状態変化の検出をロックすべきでないと判定した場合（状態変化検出ロックが不要の場合）には、状態変化情報送信手段１８へのプラント情報Ｐの状態変化の入力を許可する。状態変化情報送信手段１８はネットワーク１３を介してプラント情報Ｐの状態変化を上位装置１４に送信する。
【００１４】
状態変化の検出をロックすべきであると判定した場合あるいは既に状態変化検出ロック中である場合には、状態変化検出ロック処理手段１９により検出ロック処理が行われる。すなわち、状態変化検出ロック処理手段１９の検出ロック手段２０は、そのプラント情報の状態検出をロックし、その状態変化検出ロックした旨をネットワーク１３を介して上位装置１４へ通知すると共に、状態変化検出ロック中に発生したそのプラント情報Ｐの状態変化情報を状態変化情報内部記録手段２１に内部記録する。
【００１５】
一方、状態変化ロック解除処理手段２２は、状態変化ロック中であるプラント情報Ｐの状態変化を監視し、そのプラント情報Ｐが所定時間以上に亘って状態変化が発生しない場合には、状態変化検出ロック解除処理手段２３を起動し、状態変化検出ロックを解除する。すなわち、状態変化検出ロック解除処理手段２３のロック解除手段２４は、状態変化ロック中であるプラント情報Ｐの状態変化検出のロックを解除し、ネットワーク１３を介して上位装置１３に通知すると共に、状態変化検出ロック解除処理手段２３の最新状態合わせ手段２５は、解除したプラント情報Ｐの状態を最新の状態に合わせる。
【００１６】
上位装置１４へ通知された情報は、イベントログ表示手段２６やロック状態表示手段２７に出力され、それぞれ処理される。また、端末装置１１の操作制御手段２８は、通常時は上位装置１４からの指令に基づきプラントを操作制御し、状態変化検出ロック中は状態変化検出ロック中の当該プラント情報Ｐに関連する機器の操作制御をロックする。また、端末装置１１のイベント要求処理手段２９は、上位装置１４からの要求情報により、状態変化検出ロック処理手段１９の状態変化情報内部記録手段２１に記憶された状態変化検出ロック中に発生したすべての状態変化情報を上位装置１４に送信する。
【００１７】
図２は、端末装置１１の状態変化検出ロック判定処理手段１７および状態変化検出ロック処理手段１９の処理内容の説明図である。図２（ａ）は、プラント１２から入力される複数のプラント情報Ｐ（信号１、信号２、信号３）の状態変化を示したものである。プラント情報Ｐは主にセンサーの信号や機器のスイッチ等のＯＮ／ＯＦＦ状態等であり、連続状態変化は地震等により接点のチャタリングや油上限センサーに油面が触れてしまうなどにより発生する。図２（ａ）に示すように、信号２が連続して状態変化している様子を示している。このような状態変化に対して、状態変化検出ロック判定処理手段１７は、同一信号（信号２）が一定時間Ｔａ内に一定回数以上で変化していると判断し、時点ｔ１でプラント情報Ｐである信号２の状態変化の検出をロックすべきと判断する。
【００１８】
状態変化検出ロック処理手段１９の検出ロック手段２０は、状態変化検出ロック判定処理手段１７からの状態変化検出ロック判定結果に基づき、図２（ｂ）に示すように時点ｔ１以降の状態変化の検出をロックし、時点ｔ１以降の状態変化検出ロック中に発生した信号２の状態変化の検出は行わない。それと共に、上位装置１４に対して、この状態変化検出ロックを送信する処理を行う。また、状態変化検出ロック処理手段１９の状態変化情報内部記録手段２１は、図２（ｃ）に示すように、時点ｔ１以降の状態変化検出ロック中に発生した状態変化を状態変化の内部記録情報として内部記録を行う。
【００１９】
次に、操作制御手段２８は、通常時は上位装置１４からの指令に基づきプラントを操作制御し、状態変化検出ロック中は状態変化検出ロック中の当該情報に関連する機器の操作制御をロックするものであるが、状態変化検出ロック中であっても、遮断器の切り制御指令があったときは制御優先として切り制御操作を行う。図３は、端末装置１１の操作制御手段２８の処理内容を示すフローチャートである。上位装置１４からのプラント１２への機器制御要求があると（Ｓ１）、その機器制御要求は遮断器（ＣＢ）の切り制御指令か否かを判定し（Ｓ２）、遮断器切り制御である場合はそのまま制御処理を実施する（Ｓ３）。すなわち、遮断器の切り制御指令があったときは制御優先として切り制御操作を行う。
【００２０】
一方、機器制御要求が遮断器の切り制御指令でない場合には、制御対象機器の機器状態を表す情報が状態変化検出ロック状態か否かを判断する（Ｓ４）。その機器状態を示す情報が状態変化検出ロック中である場合には、当該機器の操作制御をロックする（Ｓ５）。制御対象機器の機器状態を表す情報が状態変化検出ロック中でない場合には、自己の端末装置または他の端末装置で機器制御判定条件（インターロック条件）として用いられている情報が状態変化検出ロック中であるか否かを判定し（Ｓ６）、機器制御判定条件（インターロック条件）として用いられている情報である場合には、当該機器の機器制御判定条件（インターロック条件）を不成立とし当該機器の操作制御をロックする（Ｓ５）。つまり、機器制御判定条件（インターロック条件）となる情報が状態変化検出ロック中であれば制御をロックし、状態変化検出ロック無しであれば機器制御処理を行う（Ｓ７）。
【００２１】
図４は、端末装置１１のイベント要求処理手段２９の処理内容を示すフローチャートである。イベント要求処理手段２９は、状態変化検出ロック中にイベント要求を上位装置１４から受信すると（Ｓ１）、状態変化検出ロック中に発生したイベントが存在するか否かを判定する（Ｓ２）。ここで、イベント要求とは、端末装置１１で記録しているイベント情報に対して、記録しているイベント情報の送信要求である。状態変化検出ロックして上位装置１４へ送信しなかった状態変化（図２（ｃ）の斜線部分）は通常表示されていないが、その表示されなかった分も表示したい場合に、上位装置１４でイベント要求（釦押下など）を実施したとき、送信しなかった状態変化（図２（ｃ）の斜線部分）を送信するものである。
【００２２】
ステップＳ２の判定でイベントが存在しなければ、要求に対する非該当返答を行い（Ｓ３）、イベントが存在する場合には、記憶している内部イベントを状態変化情報内部記録手段２１より取得し（Ｓ４）、通常の状態変化情報として正規イベント化により（Ｓ５）、通常イベントとして登録し、上位装置１４に対してイベント送信を行う（Ｓ６）。これにより、上位装置１４からのイベント要求情報により、状態変化検出ロック中に発生したすべての状態変化情報を上位装置１４に送信する。
【００２３】
図５は、端末装置１１の状態変化検出処理手段１５での状態変化検出ロックの設定の仕方についての説明図である。図５に示すように、各プラント情報個別に状態変化ロックの有無を設定するための個別検出ロック設定手段３０と、端末装置１１のすべてのプラント情報を一括して状態変化ロックの有無を設定するための一括検出ロック設定手段３１とを有している。
【００２４】
個別検出ロック設定手段３０は、プラント情報個別に、連続した状態変化が発生した場合に状態変化検出をロックするかしないかを人為的に信号個別に選択しておき、検出ロックを設定するものであり、一括検出ロック設定手段３１は状態変化検出ロックの処理自体を機能させるかさせないかを一括して設定するものである。状態変化検出ロックの処理自体を機能させない設定となった場合には、個別検出ロック設定手段３０での設定は無効となる。
【００２５】
図６は、端末装置１１の状態変化検出ロック判定処理手段１７で状態変化検出ロックを行うための判定条件および変化検出ロック解除処理手段２２での状態変化検出ロック解除の判定条件の説明図である。
【００２６】
図６に示すように、状態変化検出ロック判定処理手段１７で状態変化検出ロックを行うための判定条件は、状態変化検出ロック判定時間Ｔａおよび状態変化発生回数Ｎである。また、状態変化検出ロック解除処理手段２２での状態変化検出ロック解除の判定条件は、状態変化検出ロック解除判定時間Ｔｂである。この状態変化検出ロック解除判定時間Ｔｂは、人為的に設定可能な可変時間であり数十秒〜数分の間が妥当な時間である。なお、Ｔｃは状態変化検出ロック中の時間である。
【００２７】
状態変化検出ロックに関して、状態変化検出ロック判定時間Ｔａ、状態変化検出発生回数Ｎ、状態変化検出ロック解除判定時間Ｔｂの定数は、プラント情報の信号個別もしくは、端末装置毎に一括（端末装置個別）で設定を行う。
【００２８】
次に、本発明の実施例に係わる監視制御システムの動作を説明する。図１において、プラント１２からのプラント情報Ｐは端末装置１１の信号入力手段１５で入力され、状態変化検出処理手段１６にてプラント情報Ｐの信号の状態変化が検出される。状態変化がある場合には、状態変化検出ロック判定処理手段１７で同一信号の状態変化数を判定し、同一信号について一定時間内に一定回数以上の状態変化が発生した場合には、状態変化検出ロック処理手段１９の検出ロック手段２０は、そのプラント情報Ｐの状態変化の検出をロックし、上位装置１４へその状態変化検出ロック通知をする。また、状態変化検出ロック処理手段１９の状態変化情報内部記録手段２１は、状態変化検出ロック中に発生した当該信号の状態変化を内部記憶する。これにより、状態変化検出ロック中に発生した当該信号の状態変化の上位装置１４への送信がロックされるので、上位装置１４でのイベントログによる故障解析を容易にすることが可能となる。
【００２９】
また、本来危険とされる状態変化検出ロック中のプラント機器への操作制御要求に対しては、操作制御手段２８は、プラント情報Ｐが安定するまで操作制御を制御ロックすることにより、信頼性を高めることが可能となる。
【００３０】
これにより、本来起こり得ない同一情報の連続状態変化を検出して、当該の情報の状態変化のみを検出ロックすることにより、繰り返し発生する多数の状態変化情報が表示されないようにする。従って、イベントログによる故障解析診断を容易とし、表示性能等のシステムレスポンスの低下を改善し、さらには、連続状態変化時、すなわち、状態不定時には機器制御を当該情報が安定化するまでロックすることにより、機器制御の安全性を高めることが可能となる。
【００３１】
また、状態変化検出ロック判定処理手段１７により、Ｔａ時間内にＮ状態変化が発生し、連続状態変化を検出した場合にはＴｃ間に発生する状態変化検出をロックし、状態変化情報送信手段１８によるプラント情報Ｐの上位装置１４へＴｃ間に発生した状態変化の送信を行わず、状態変化検出ロックした旨をネットワーク１３経由で上位装置１４へ通知すると共に、状態変化ロック解除判定処理手段２２で状態変化が収まり正常な状態へ復旧したことをＴｃ間の最後に発生した状態変化からＴｂ時間の間確認した場合には、状態変化検出ロック解除処理手段２３の検出ロック解除手段２４によりＴｂ時間経過後に検出ロック解除を行ない、状態変化検出ロック解除処理手段２３の最新状態合わせ手段２５により当該情報の他の端末装置を含む全装置の最新状態合わせを行う。
【００３２】
これにより、不要表示を抑制すると共に、情報の信頼性を確保することが可能となる。すなわち、不要と考えられる状態変化を表示させずに、本来異常と考えられる状態変化が発生したことを他の端末装置を含む全装置へ通知すると共に、状態変化が収まり正常な状態へ復旧した場合には、全装置で所有する当該機器の情報を最新の状態に合わせることで、誤表示を抑制すると共に、情報の信頼性を確保することが可能となる。
【００３３】
また、状態変化検出ロックしたことを上位装置１４のイベントログ表示手段２６によりログを見易く表示し、また、状態変化検出ロック中であることをロック状態表示手段２７によりロック状態表示として表現させる。従って、状況の把握が容易にでき信頼性の向上が可能となる。
【００３４】
操作制御手段２８では、状態変化検出ロック中の情報が制御対象機器の機器状態を表す信号である場合は、当該機器状態判定にて状態変化検出ロック中のみ当該機器の操作を制御ロックすることで、不正な操作制御を防止することができ信頼性の向上が可能となる。また、状態変化検出ロック中の情報が自端末装置１１または他の端末装置１１で機器制御判定条件として使用されている場合には、状態変化検出ロック中のみ、インターロック条件判定にて該当する機器制御の操作を制御ロックするので信頼性の向上が可能となる。さらに、状態変化検出ロック中は、本来不要制御を行なわないために機器操作を制御ロックすべきであるが、緊急性を要する遮断器の切り制御のみは制御優先として、遮断器切り制御処理を可能とすることによりシステムの信頼性の向上が可能となる。
【００３５】
次に、状態変化検出ロック中に発生した状態変化が必要とされる場合、上位装置１４からの検出ロック中イベント要求により、イベント要求処理手段２９はイベント有無判定にて、状態変化の内部記録情報を状態変化情報内部記録手段２１から取得後、通常状態変化情報として正規イベント化し、イベント送信を行うことにより、連続状態変化が継続している間の故障解析が可能となる。すなわち、状態変化検出ロック中に発生した状態変化の表示を必要とされる場合、表示要求操作により表示させることで、連続状態変化が継続していた間の故障解析が可能となる。
【００３６】
また、状態変化検出ロック処理手段１７では、プラント情報個別に状態変化検出ロックの適応を選択する状態変化検出ロックの設定により信号個別に選択可能であり、一方、状態変化検出ロックを一切使用せず、すべての状態変化をタイムリーに表示させておきたい場合には、一括で状態変化検出ロック処理の機能自体を解除することができる一括検出ロック設定を行う。従って、用途により任意に状態変化検出ロックの機能を適応または非適応の選択できる。
【００３７】
さらに、状態変化検出ロックを行うために必要な状態変化検出ロック判定時間や、状態変化検出発生回数、状態変化検出ロック状態を解除するための状態変化検出ロック解除判定時間を任意に設定できるようにすることで、異常と想定される連続した状態変化を自由に設定することが可能となる。
【産業上の利用可能性】
【００３８】
本発明は、プラントからの情報が連続して発生復帰を繰り返す状態変化を検出ロックするものに適用できる。
【図面の簡単な説明】
【００３９】
【図１】本発明の実施例に係わる監視制御システムのブロック構成図。
【図２】本発明の実施例における端末装置の状態変化検出ロック判定処理手段および状態変化検出ロック処理手段の処理内容の説明図。
【図３】本発明の実施例における端末装置の操作制御手段の処理内容を示すフローチャート。
【図４】本発明の実施例における端末装置のイベント要求処理手段の処理内容を示すフローチャート。
【図５】本発明の実施例における端末装置の状態変化検出処理手段での状態変化検出ロックの設定の仕方についての説明図。
【図６】本発明の実施例における端末装置の状態変化検出ロック判定処理手段で状態変化検出ロックを行うための判定条件および変化検出ロック解除処理手段での状態変化検出ロック解除の判定条件の説明図。
【符号の説明】
【００４０】
１１…端末装置、１２…プラント、１３…ネットワーク、１４…上位装置、１５…信号入力手段、１６…状態変化検出処理手段、１７…状態変化検出ロック判定処理手段、１８…状態変化情報送信手段、１９…状態変化検出ロック処理手段、２０…検出ロック手段、２１…状態変化情報内部記録手段、２２…状態変化検出ロック解除判定処理手段、２３…状態変化検出ロック解除処理手段、２４…検出ロック手段、２５…最新状態合わせ手段、２６…イベントログ表示手段、２７…ロック状態表示手段、２８…操作制御手段、２９…イベント要求処理手段、３０…個別検出ロック設定手段、３１…一括検出ロック設定手段
【図１】
2005056156.tif 000003
【図２】
2005056156.tif 000004
【図３】
2005056156.tif 000005
【図４】
2005056156.tif 000006
【図５】
2005056156.tif 000007
【図６】
2005056156.tif 000008